(57)【要約】  本発明はドアロック装置に関するもので、より詳細に説明するごとくドアに損傷をかけずに設置することができ、設置及び除去時ドアロック装置を分解することなく使うことができるドアロック装置に関するものである。本発明の分解することなく設置及び除去が可能なドアロック装置は、一方向に開閉可能なドア用ドアロック装置であって、ドアの上部側に装着するための一定の長さを持つ連結板と、前記連結板の片側で前記ドアの前方面に向けて折曲がり延長された前面板と、前記連結板の他側で前記ドアの後方面に向けて折曲がり延長された後面板とを含むドアロックフレームと、前記ドアロックフレームの前記前面板に固定された開閉信号の入力手段と、前記ドアロックフレームの前記後面板に固定されたドアロック本体であって、前記入力手段から開閉信号を受けて前記連結板の上部に位置するドア枠の前方で上昇及び下降するよう設置されたデッドボルトと、前記デッドボルトを駆動するための施錠/解錠部とを含むドアロック本体と、を含むことを特徴とする。【選択図】  図６
2007529657.tif 000002
【特許請求の範囲】
【請求項１】
一方向に開閉可能なドア用ドアロック装置であって、
ドアの上部側に装着するための一定の長さを持つ連結板と、前記連結板の片側で前記ドアの前方面に向けて折曲がり延長された前面板と、前記連結板の他方側で前記ドアの後方面に向けて折曲がり延長された後面板とを含むドアロックフレームと、
前記ドアロックフレームの前記前面板に固定された開閉信号の入力手段と、
前記ドアロックフレームの前記後面板に固定されたドアロック本体であって、前記入力手段から開閉信号を受けて前記連結板の上部に位置するドア枠の前方で上昇及び下降するよう設置されたデッドボルトと、前記デッドボルトを駆動するための施錠/解錠部とを含むドアロック本体と、を含むことを特徴とするドアロック装置。
【請求項２】
前記ドアロックフレームの前記後面板において幅方向の両側からドアの後方側に延長された対になった結合羽根と、
前記結合羽根に固定するためのブラケットと、
前記結合羽根と前記ブラケットの相対的位置を調節して結合するための結合手段と、を含み、前記ドアロック本体は前記ブラケットに固定されることを特徴とする請求項１に記載のドアロック装置。
【請求項３】
前記結合羽根と前記ブラケットの相対的位置を調節して結合するための前記結合手段は、
前記ブラケットの両側に上下長さ方向にしたがって形成された複数の穴と、
前記つがいの結合羽根においてそれぞれにドアに対して水平方向に形成された複数の貫通穴と、
前記ブラケットの前記穴と対応する前記結合羽根の前記貫通穴に挿入され、ブラケットと結合羽根を結合するための結合具と、を含むことを特徴とする請求項２に記載のドアロック装置。
【請求項４】
前記ドアロックフレームの前記前面板と前記後面板との長さが、前記ドアの厚さより大きい場合に、該前面板と該後面板との間に挿入されたゴム板を含むことを特徴とする請求項１〜３の何れか１項に記載のドアロック装置。
【請求項５】
前記ドアロックフレームの前記連結板と前記ドアとが接触する面には、該ドアロックフレームの水平方向移動を制限するための接着手段が附着していることを特徴とする請求項４に記載のドアロック装置。
【請求項６】
前記開閉信号の入力手段に開閉信号を供給するための赤外線送信ユニットを含むリモコンを含み、
前記開閉信号の入力手段は、前記リモコンの赤外線送信ユニットと赤外線通信のための赤外線受信ユニットを含むことを特徴とする請求項５に記載のドアロック装置。
【請求項７】
前記ドアロックフレームの前記前面板には前記開閉信号の入力手段で引き出される電線が通過するための穴が設けられ、
前記開閉信号の入力手段の表面であって、前記ドアロックフレームの前面板と接触する面には、
前記前面板の穴を通じてドアに接触することで装着信号の出力、および開閉信号の入力手段の分解時または前記前面板が曲げられた時の分解感知信号の出力のための分解感知スィッチセンサーが設置されていることを特徴とする請求項５に記載のドアロック装置。
【請求項８】
前記リモコンは入力部と、シリアルＩＤが保存されたメモリーと、前記入力部の信号を受けて表示部に動作信号を出力して、赤外線送信ユニットに前記シリアルＩＤが含まれた開閉駆動信号を出力するマイコンと、前記マイコンの駆動信号を受けてこれを赤外線信号として送信する赤外線送信ユニットと、前記マイコンの表示動作信号を受けてこれを外部に表示する表示部とを含み、
前記開閉信号の入力手段は、前記ドアロック本体の施錠/解錠部からエラー信号を受けてエラー状態を表示するためのスピーカー及びＬＥＤを含み、
前記ドアロック本体の施錠/解錠部は、前記リモコンの赤外線送信ユニットと赤外線通信をするための赤外線受信ユニットと、前記開閉信号の入力手段及び赤外線受信ユニットを通じてリモコンの開閉駆動信号を受けて、あらかじめ保存されたシリアルＩＤと比べて、一致すれば施錠/解錠動作信号を出力して、前記スィッチセンサーから分解感知信号を受けてこれを表示するためのエラー信号を出力する制御部と、前記制御部の施錠/解錠動作信号を受けて、施錠/解錠動作を遂行するデッドボルトを含む施錠/解錠駆動手段と、前記制御部の施錠/解錠動作信号及びドアの施解錠の表示信号を受けて、これを外部で表示するＬＥＤ及びスピーカーと、動作電源を供給するための電池とを含むことを特徴とする請求項６または７に記載のドアロック装置。
【発明の詳細な説明】
【発明の詳細な説明】
【０００１】
［発明が属する技術］
本発明はドアロック装置に関し、より詳細には、ドアに損傷をかけずに設置することができ、設置及び除去時にドアロック装置を分解することなく使うことができるドアロック装置に関する。
【０００２】
［背景技術］
最近アパート及び事務室などのセキュリティ市場を中心に、生体認識の方式、キーパッド方式、音声認識の方式そしてリモコン方式など既存の鍵になっている補助錠装置を取り替えるドアロック装置に対する需要が急速に拡大している。
【０００３】
上記のようなドアロック装置、特に電気的に制御される電子ドアロック装置の構成とその設置関係を簡単に説明すると以下のとおりである。
【０００４】
通常キーパッド等の入力部を持つ本体と、可動掛け金を持つ作動体を具備するようにし、上記本体を門戸の外側面に装着させ、上記作動体を門戸の内側面に装着させるが、上記本体と作動体をドアに固定して、本体と作動体が相互電気的に連結可能になるよう、上記本体及び作動体が設置されるドアに貫通穴を形成させて設置される。
【０００５】
［発明の開示］
［発明が解決しようとする課題］
上記のようなドアロック装置は設置の時単純に組み立てだけで終わるのではなくドアに穴を形成しなければならない。設置工事の間違いやドアロック装置の初期取り付けによって、穴を正しい位置に形成することができなかった時にはドアに穴がそのまま残るようになることもある。また、ひどい場合にはドア自体を入れ替えねばならない状況が発生することもある。このように、設置のために専門家に依頼をしなければならないことがある。
【０００６】
従来のドアロック装置はドアに貫通穴を形成しなければならないため、ドアの損傷が必須である。また、引越しをしなければならない場合には、内側体にあるスクリューを解いて組み立てを解体した後、メーカーや設置業社を通じて再設置を受けなければならない。設置されたドアロック装置を引き離す場合には、ドアに開けた穴がそのまま残るようになる。そのため、既に設置された補助錠装置を再設置しなければならず、形成された穴を埋め込むなどの復旧にかかる問題点がある。
【０００７】
すなわち、従来のドアロック装置は設置の時ドアに貫通穴を形成して設置する構造になっている。そのため、故障または使用者の要求によって製品の交換や、その設置された位置の変更を要する時、あらかじめ形成された貫通穴の位置と大きさが相応しない場合には、ドアの美観を損なうため、ドア自体を交換しなければならないことがある。このようにして、ドアロック装置の選択が制限される問題点がある。
【０００８】
従って、本発明は上記のような問題点を解決するために想到され、ドアロック装置を設置するためにドアの美観を損なう貫通穴を形成することなく、専門家以外の者であっても簡便に設置及び除去が可能なドアロック装置を提供することを目的とする。
【０００９】
また、本発明の他の目的は、設置及び除去時ドアロック装置を分解する必要がなく、ドアの側面とかまちにロッキングバーを収容するための別途の穴をそれぞれ加工しなくても設置することができ、設置及び除去が簡便なドアロック装置を提供することにある。
【００１０】
［技術的解決手段］
本発明に係る分解することなく設置及び除去が可能なドアロック装置は、
一方向に開閉可能なドア用ドアロック装置であって、
ドアの上部側に装着するための一定の長さを持つ連結板と、前記連結板の片側で前記ドアの前方面に向けて折曲がり延長された前面板と、前記連結板の他側で前記ドアの後方面に向けて折曲がり延長された後面板とを含むドアロックフレームと、
前記ドアロックフレームの前記前面板に固定された開閉信号の入力手段と、
前記ドアロックフレームの前記後面板に固定され、
前記入力手段から開閉信号を受けて前記連結板の上部に位置するドア枠の前方で上昇及び下降するよう設置されたデッドボルトと、前記デッドボルトを駆動するための施錠/解錠部とを含むドアロック本体と、を含むことを特徴とする。
【００１１】
本発明のドアロック装置によれば、ドアの室外側に開閉信号の入力手段が位置して、室内側にドアロック本体が位置するよう、ドアの上部面にドアロックフレームを設置することで、ドアに別途貫通穴を形成することなく、簡単にドアロック装置を設置することができる。
【００１２】
また、本発明に係る分解することなく設置及び除去が可能なドアロック装置では、前記ドアロックフレームの前記後面板において幅方向の両側からドアの後方側に延長された対になった結合羽根と、
前記結合羽根に固定するためのブラケットと、
前記結合羽根と前記ブラケットの相対的位置を調節して結合するための結合手段と、を含み、前記ドアロック本体は前記ブラケットに固定されることが好ましい。
【００１３】
また、本発明に係る分解することなく設置及び除去が可能なドアロック装置では、前記結合羽根と前記ブラケットの相対的位置を調節して結合するための結合手段は、
前記ブラケットの両側に上下長さ方向にしたがって形成された複数の穴と、
前記つがいの結合羽根においてそれぞれにドアに対して水平方向に形成された複数の貫通穴と、
前記ブラケットの前記穴と対応する前記結合羽根の前記貫通穴に挿入され、ブラケットと結合羽根を結合するための結合具と、を含むことが好ましい。
【００１４】
また、本発明に係る分解することなく設置及び除去が可能なドアロック装置では、前記ドアロックフレームの前記前面板と前記後面板との長さが、前記ドアの厚さより大きい場合に、該前面板と該後面板との間に挿入されたゴム板を含むことが好ましい。
【００１５】
また、本発明に係る分解することなく設置及び除去が可能なドアロック装置では、前記ドアロックフレームの前記連結板と前記ドアとが接触する面には、該ドアロックフレームの水平方向移動を制限するための接着手段が附着していることを特徴とすることが好ましい。
【００１６】
また、本発明に係る分解することなく設置及び除去が可能なドアロック装置では、前記開閉信号の入力手段に開閉信号を供給するための赤外線送信ユニットを含むリモコンを含み、
前記開閉信号の入力手段は、前記リモコンの赤外線送信ユニットと赤外線通信のための赤外線受信ユニットを含むことが好ましい。
【００１７】
また、本発明に係る分解することなく設置及び除去が可能なドアロック装置では、前記ドアロックフレームの前記前面板には前記開閉信号の入力手段で引き出される電線が通過するための穴が設けられ、
前記開閉信号の入力手段の表面であって、前記ドアロックフレームの前面板と接触する面には
前記前面板の穴を通じてドアに接触することで装着信号を出力するため、および開閉信号の入力手段が分解されまたは前記前面板が曲げられた時に分解感知信号を出力するための分解感知スィッチセンサーが設置されていることが好ましい。
【００１８】
また、本発明に係る分解することなく設置及び除去が可能なドアロック装置では、前記リモコンは入力部と、シリアルＩＤが保存されたメモリーと、前記入力部の信号を受けて表示部に動作信号を出力して、赤外線送信ユニットに前記シリアルＩＤが含まれた開閉駆動信号を出力するマイコンと、前記マイコンの駆動信号を受けてこれを赤外線信号として送信する赤外線送信ユニットと、前記マイコンの表示動作信号を受けてこれを外部に表示する表示部を含み、
前記開閉信号の入力手段は、前記ドアロック本体の施錠/解錠部からエラー信号を受けてエラー状態を表示するためのスピーカー及びＬＥＤを含み、
前記ドアロック本体の施錠/解錠部は、前記リモコンの赤外線送信ユニットと赤外線通信をするための赤外線受信ユニットと、前記開閉信号の入力手段及び赤外線受信ユニットを通じてリモコンの開閉駆動信号を受けて、あらかじめ保存されたシリアルＩＤと比べて、一致すれば施錠/解錠動作信号を出力して、前記スィッチセンサーから分解感知信号を受けてこれを表示するためのエラー信号を出力する制御部と、前記制御部の施錠/解錠動作信号を受けて、施錠/解錠動作を遂行するデッドボルトを含む施錠/解錠駆動手段と、前記制御部の施錠/解錠動作信号及びドアの施解錠の表示信号を受けて、これを外部で表示するＬＥＤ及びスピーカーと、動作電源を供給するための電池とを含むことが好ましい。
【００１９】
［実施の最良の形態］
以下では、添付された図面を参照して本発明に係る分解することなくドアに設置及び除去が可能な電子ドアロック装置の一実施例を説明する。
【００２０】
図１は本発明の第１実施例による設置が便利なドアロック装置を説明するための図面である。図１を参照すれば、本発明の実施例による設置が便利なドアロック装置はリモコン１００及びメイン部２００を含む。メイン部２００は、開閉信号の入力手段（赤外線通信部）２１０、ドアロックフレーム（据置き用ブラケット）２２０、及び施錠/解錠部（閉ざし装置駆動部）２３０を含む。
【００２１】
リモコン１００は、赤外線送信ユニット（赤外線ＬＥＤ）１１０、マイコン１２０、入力手段（プッシュボタン）１３０、動作ＬＥＤ１４０及び電源部１５０を含む。使用者が携帯しながら入力手段（プッシュボタン）１３０を利用して施錠/解錠部（閉ざし装置駆動部）２３０の施錠または解錠を制御する。
【００２２】
より詳細に説明すると、リモコン１００は複数個コードを組み合わせることにより、お互いに重複しないように制御され、入力部１３０を操作することでマイコン１２０が作動し、赤外線送信ユニット１１０を駆動して赤外線の変調波の形式で開閉信号の入力手段（赤外線通信部）２１０と施錠/解錠部（閉ざし装置駆動部）２３０の赤外線受信ユニット（赤外線フィルター及びモジュール）２１１へ送り出す。また、動作ＬＥＤ１４０は動作（赤外線の送出）時これを表示して電源部１５０の電池の残存状態も表示する。
【００２３】
開閉信号の入力手段（赤外線通信部）２１０は、赤外線受信ユニット（赤外線フィルター及びモジュール）２１１、スピーカー（アラーム部）２１２、動作ＬＥＤ２１３を含む。開閉信号の入力手段（赤外線通信部）２１０は、使用者が携帯するリモコン１００の信号を感知して、その信号を施錠/解錠部（閉ざし装置駆動部）２３０に伝達して、施錠/解錠部（閉ざし装置駆動部）２３０の施錠/解錠駆動手段２３５を通じて施錠及び解錠を制御する。
【００２４】
より詳細に説明すると、開閉信号の入力手段（赤外線通信部）２１０は、ドアの外部取っ手側のドアとドアフレームが触れ合う上部に位置して、リモコン１００で送出した信号を赤外線受信ユニット（赤外線フィルター及びモジュール）２１１で検波及び受信して受信したコードを施錠/解錠部（閉ざし装置駆動部）２３０のマイコン２３２に伝達する。
【００２５】
赤外線受信ユニット（赤外線フィルター及びモジュール）２１１は、一般可視光線を遮断して赤外線だけを透過する光学フィルターで、開閉信号の入力手段（赤外線通信部）２１０の前面に位置する。
【００２６】
一定の力以上でドアを開けた時、ドアロックフレーム（据置き用ブラケット）２２０から施錠/解錠部（閉ざし装置駆動部）２３０の一部付着部位が離脱する。その時に、施錠/解錠部（閉ざし装置駆動部）２３０のスィッチセンサー２３６が作動して、開閉信号の入力手段（赤外線通信部）２１０のスピーカー（アラーム部）２１２から強力な警告音を出す。
【００２７】
正常なリモコン１００信号が受信された時には開閉時スピーカー（アラーム部）２１２で、これを区別することができる弱い動作音が発生する。万一、異常なリモコンまたは任意コード発生のリモコン、例えば学習リモコンなど不法のリモコン信号を一定時間以上受信することがあれば、強力な警報音を発生して不法侵入を前もって防止することができる。
【００２８】
ドアロックフレーム（据置き用ブラケット）２２０は、製品の据置き用の器具２２１と電線（フレキシブルワイヤー）２２２とを含み、開閉信号の入力手段（赤外線通信部）２１０と施錠/解錠部（閉ざし装置駆動部）２３０の間の信号を伝達する役目を果たす。ドアロックフレーム（据置き用ブラケット）２２０は、外部の開閉信号の入力手段（赤外線通信部）２１０と内部に設置する施錠/解錠部（閉ざし装置駆動部）２３０を結合する役割を果たしドアに設置される。
【００２９】
より詳細に説明すると、外部の開閉信号の入力手段（赤外線通信部）２１０と内部に設置された施錠/解錠部（閉ざし装置駆動部）２３０をドアロックフレーム（据置き用ブラケット）２２０に結合して、ドアロックフレーム（据置き用ブラケット）２２０の内側に両面の接着テープを利用して電線２２２を密着して、ドアに装着する時損傷されないようにする。電線２２２はディンワイヤーとして開閉信号の入力手段（赤外線通信部）２１０と施錠/解錠部（閉ざし装置駆動部）２３０の信号を伝達する。
【００３０】
内部の施錠/解錠部（閉ざし装置駆動部）２３０を締結する部分は、ドアやドアフレームの深さによって容易に調節が可能である。緊急時にドアを強制的に開かなければならない時、一定以上の力で外から引っ張られることで、施錠/解錠部（閉ざし装置駆動部）２３０がドアロックフレーム（据置き用ブラケット）２２０の一部付着部位から離脱する。その時に、施錠/解錠部（閉ざし装置駆動部）２３０のスィッチセンサー２３６が作動して開閉信号の入力手段（赤外線通信部）２１０のスピーカー（アラーム部）２１２と施錠/解錠部（閉ざし装置駆動部）２３０のスピーカー（アラーム部）２３４から強い警告音を鳴らすこととなる。
【００３１】
施錠/解錠部（閉ざし装置駆動部）２３０は、赤外線受信ユニット（赤外線フィルター及びモジュール）２３１、マイコン２３２、動作ＬＥＤ２３３、スピーカー（アラーム部）２３４、施錠/解錠駆動手段（閉ざし装置部）２３５、スィッチセンサー２３６、および電源部２３７を含み、ドアの内部に設置される。開閉信号の入力手段（赤外線通信部）２１０と施錠/解錠部（閉ざし装置駆動部２３０）でリモコン１００の信号を感知して施錠/解錠部（閉ざし装置駆動部）２３０の施錠/解錠駆動手段２３５を通じて施錠または解錠を制御する。
【００３２】
さらに、緊急時にドアを強制的に開かなければならない時、一定以上の力で外から引っぱられることで、施錠/解錠部（閉ざし装置駆動部）２３０がドアロックフレーム（据置き用ブラケット）２２０の一部付着部位から離脱する。その時、施錠/解錠部（閉ざし装置駆動部）２３０のスィッチセンサー２３６が作動して開閉信号の入力手段（赤外線通信部）２１０のスピーカー（アラーム部）２１２と施錠/解錠部（閉ざし装置駆動部）２３０のスピーカー（アラーム部）２３４から強い警告音を鳴らすこととなる。
【００３３】
より詳細に説明すると、ドアの内部でリモコン１００の信号が施錠/解錠部（閉ざし装置駆動部）２３０の赤外線受信ユニット（赤外線フィルター及びモジュール）２３１を通じて検波及び受信された後、その信号を施錠/解錠部（閉ざし装置駆動部）２３０のマイコン２３２に伝達して、マイコン２３２でおいては、リモコン１００の信号を判別して施錠/解錠駆動手段２３５を通じて施錠/解錠制御をする。
【００３４】
また、ドアの外部でリモコン１００の信号が開閉信号の入力手段（赤外線通信部）２１０の赤外線受信ユニット（赤外線フィルター及びモジュール）２１１を通じて検波及び受信された後、その信号は電線２２２を通じて施錠/解錠部（閉ざし装置駆動部）２３０のマイコン２３２に伝達される。その後、マイコン２３２ではリモコン１００の信号を判別して施錠/解錠駆動手段２３５を通じて施錠/解錠制御をする。
【００３５】
施錠/解錠部（閉ざし装置駆動部）２３０の赤外線受信ユニット（赤外線フィルター及びモジュール）２３１の信号と、開閉信号の入力手段（赤外線通信部）２１０の赤外線受信ユニット（赤外線フィルター及びモジュール）２１１の信号とが、それぞれ個別に入力を受けて撹乱された信号に影響を受けることのないよう、その後に内部信号と外部信号を区別して、該当するそれぞれのスピーカー（アラーム部）２１２、２３４で動作音を発生させる。この時動作状態を表示する動作ＬＥＤ２３３が、それぞれの状態によってＬＥＤを駆動する。
【００３６】
電源部２３７は電池の電圧をチェックしている。動作の電圧以下になれば動作ＬＥＤ２３３と内部のスピーカー（アラーム部）２３４を利用して低電圧の状態を告知する。
【００３７】
閉ざし装置部２３５にはデッドボルト（ロックシリンダー）、減速モーター、モータードライブ及び位置センサーを含む。位置センサーを利用してロックシリンダーが施錠の状態なのか解錠の状態なのかを判別して、マイコン２３２に伝達する。減速モーターは、正/逆方向でロックシリンダーを移送させる。
【００３８】
さらに、非常時にドアを強制的に開かなければならない時、一定以上の力で外から引っ張られることで、施錠/解錠部（閉ざし装置駆動部）２３０がドアロックフレーム（据置き用ブラケット）２２０の一部付着部位から離脱する。その時、施錠/解錠部（閉ざし装置駆動部）２３０のスィッチセンサー２３６が作動して開閉信号の入力手段（赤外線通信部）２１０のスピーカー（アラーム部）２１２と施錠/解錠部（閉ざし装置駆動部）２３０のスピーカー（アラーム部）２３４から強い警告音を鳴らすこととなる。
【００３９】
図２は本発明の第１実施例による設置が便利なドアロック装置を説明するためのリモコンの作動のフローチャートである。図１と図２を参照すれば、リモコン１００の入力手段（プッシュボタン）１３０を押すことで（ステップＲ１２０）動作ＬＥＤ１４０が点灯し、同時に動作状態を示す（ステップＲ１３０）。その後、赤外線送信ユニット（赤外線ＬＥＤ）１１０がともると同時に（ステップＲ１４０）変調波が発生する（ステップＲ１５０）。
【００４０】
図３は本発明の第１実施例による設置が便利なドアロック装置を説明するための閉ざし装置の作動を示すフローチャートである。図１と図３を参照すれば、リモコン１００の変調波信号が開閉信号の入力手段（赤外線通信部）２１０と閉ざし装置駆動部の赤外線受信ユニット（赤外線フィルター及びモジュール）２１１に入力されたとき（ステップＬ１２０）この信号のコードが該当するどうかをチェックする（ステップＬ１３０）。該当する場合に施錠/解錠部（閉ざし装置駆動部）２３０の施錠/解錠駆動手段２３５の状態をチェックする（ステップＬ１４０）。開き状態の場合モーターが正方駆動して施錠し（ステップＬ１５０）、閉鎖状態の場合にはモーターが逆方駆動して解錠する（ステップ１６０）。
【００４１】
また、各状態によって違った動作音が発生して状態をチェックすることができ、（ステップ１７０）モーター駆動が終わるようになる。（ステップＬ１８０）
ステップＬ１３０でリモコン１００のコードが該当しない場合、図４に示すステップＥ１３０に進む。ステップ１３０では、一定時間継続してあやまったリモコン１００のコードが受信された場合に、非常警告音が発生される。
【００４２】
図４は本発明の第１実施例による設置が便利なドアロック装置を説明するための非常状態時作動のフローチャートである。図１と図４を参照すれば、緊急時にドアを強制的に開かなければならない時、一定した力以上に外部で引っぱれば施錠/解錠部（閉ざし装置駆動部）２３０がドアロックフレーム（据置き用ブラケット）２２０で分離して、分離した時に施錠/解錠部（閉ざし装置駆動部）２３０のスィッチセンサー（分解感知センサー）２３６が作動する（ステップＥ１２０）。この時、内部施錠/解錠部（閉ざし装置駆動部）２３０のスピーカー（アラーム部）２３４と、赤外線開閉信号の入力手段（赤外線通信部）２１０のスピーカー（アラーム部）２１２では強力な非常警告音が発生して（ステップＥ１３０）、非常警告音を３０秒間鳴らす（ステップＥ１４０）。
【００４３】
図５ないし図１２は本発明の第２実施例を示す図面である。以下に上記図５ないし図１２を参照して第２実施例に対して詳しく説明する。図５は本発明の第２実施例による分解することなくドアに設置及び除去が可能な電子ドアロック装置がドアに設置された状態を見る斜視図である。図６は本発明の第２実施例による分解することなくドアに設置及び除去が可能な電子ドアロック装置の前面側の斜視図である。図７は本発明の第２実施例による分解することなくドアに設置及び除去が可能な電子ドアロック装置の後面側の斜視図である。図８は本発明の第２実施例による分解することなくドアに設置及び除去が可能な電子ドアロック装置の前面側の斜視図である。図９は本発明の第２実施例による分解することなくドアに設置及び除去が可能な電子ドアロック装置の前面側の分解斜視図である。図１０は本発明の第２実施例によるドアロック装置の構成を説明するためのブロック図である。図１１は本発明の第２実施例によるドアロック装置の動作を説明するためのフローチャートである。図１２は本発明の第２実施例によるドアロック装置の動作を説明するための動作状態図である。
【００４４】
まず、図５ないし図１０を参照して第２実施例のドアロック装置の構成を簡単に説明すると以下のとおりである。本実施例のドアロック装置３００はリモコン１０と、そのリモコン１０と赤外線通信するための赤外線受信ユニット２１が具備された開閉信号の入力手段２０と、内部に開閉信号の入力手段２０のリモコン１０受信信号を受けて閉ざし及び開くことを遂行する施錠/解錠部４０を具備したドアロック本体６０と、開閉信号の入力手段２０とドアロック本体６０の施錠/解錠部４０と電気的に連結するコネクター３０と、開閉信号の入力手段２０で延長されて上記のドアロック本体６０と結合し、ドア５００の上部に上げられることができるようにドア収容空間５０ｃが具備されたドアロックフレーム５０を含む。
【００４５】
上記のリモコン１０は、入力部１４と、シリアルＩＤが保存されたメモリー１６と、上記の入力部１４の信号を受けて表示部１２に動作信号を出力し、赤外線送信ユニット１１に上記のシリアルＩＤが含まれた開閉駆動信号を出力するマイコン１３と、そのマイコン１３の駆動信号を受けてこれを赤外線信号として送信する赤外線送信ユニット１１とを含む。
【００４６】
上記の開閉信号の入力手段２０は、上記のリモコン１０の赤外線送信ユニット１１から駆動信号を受けて、これを施錠/解錠部４０に送る赤外線受信ユニット２１と、エラーの発生時、施錠/解錠部４０からエラー信号を受けてエラー状態を表示するためのスピーカー２２及びＬＥＤ２３と、ドアロック装置３００の強制離脱を感知するためのスィッチセンサー（分解感知センサー）２４を含む。
【００４７】
ドアロック本体６０の施錠/解錠部４０は、リモコン１０と赤外線通信するための赤外線受信ユニット４１と、開閉信号の入力手段２０及び赤外線受信ユニット４１を通じてリモコン１０の開閉駆動信号を受けてあらかじめ保存されたシリアルＩＤと比べて一致すれば施錠/解錠動作信号を出力して、または、スィッチセンサー２４からドアロック装置３００の強制離脱感知信号を受けてこれを表示するためのエラー信号を出力する制御部４３と、上記の制御部４３の施錠/解錠動作信号を受けて施錠/解錠動作を遂行する施錠/解錠駆動手段４７と、上記の制御部４３の施錠/解錠動作信号及びドア開き表示信号を受けてこれを外部で表示するＬＥＤ４５及びスピーカー４６、動作電源を供給するための電池４４を含む。
【００４８】
本実施例で上記のコネクター３０は電線として、ディンフレキシブルワイヤーであるが、これに限定されるものではない。また、本実施例のドアロック装置３００がドア５００の上部面に装着されることを考慮すれば、上記の開閉信号の入力手段２０の赤外線受信ユニット２１は下側を向くように装着してもよい。あるいは、図８に図示されるように開閉信号の入力手段２０の前面側が下側を向くようにして赤外線受信ユニット２１を装着してもよい。さらに、また上記の開閉信号の入力手段２０のスィッチセンサー２４は図９に図示されるように開閉信号の入力手段２０の後面に設置されることで、ドアロックフレーム５０の穴５３を貫いてドア５００に接触するように設置される。
【００４９】
上記のドアロックフレーム５０はドア５００の上部面に載せられるようにすること上記の開閉信号の入力手段２０とドアロック本体６０を連結する役割を果たす。ドア５００ドアロックフレーム５０は、ドア５００の上側に載せるための一定の長さを持つ連結板５９と、上記の連結板５９の片側で上記のドア５００の前方面に向けて切曲されて延長された前面板５７と、上記の連結板５９の他側で上記のドア５００の後方面に向けて切曲されて延長された後面板５８で形成されるドア収容空間５０ｃが具備される。
【００５０】
ドア５００の室外側面に接触するドアロックフレーム５０の前面板５７には上記の開閉信号の入力手段２０と、ネジで結合するための複数個の結合穴５２と、開閉信号の入力手段２０と施錠/解錠部４０を電気的に連結する電線３０が貫通する穴５３とが形成されている。上記のドア５００の室内側面に接触するドアロックフレーム５０の後面板５８には、上記の電線３０が貫通する穴５３ａが形成されている。上記のドアロックフレーム５０のドア５００の上部面に接触する連結板５９には、上記の前面板５７から後面板５８まで延長されるように形成された電線収容溝５１が形成されている。すなわち、上記の前面板５７の穴５３を通じてドア収容空間５０ｃ側に突き出された電線３０を上記の電線収容溝５１に沿って収容されて後面板５８の穴５３を通じてドアロック本体６０側に導くのである。また、上記の連結板５９の電線収容溝５１に安置された電線の動きを防止して、ドアロック装置３００の水平方向の移動を制限するための固定バー５７がドア収容空間５０ｃの上部側に差し込み式で装着される。
【００５１】
上記のドアロックフレーム５０の後面板５８にはドア５００の室内方向で上記のドアロック本体６０と結合するための２個の結合羽根５０ａ、５０ｂが延長されるように形成される。上記の２個の結合羽根５０ａ、５０ｂには上記のドア５００上部側の壁４１０の厚さによってドアロックフレーム５０とドアロック本体６０の間の間隔を調節して、ドアロック本体６０とネジで結合するための複数個の穴５５が形成されており、結合羽根５０ａ、５０ｂの強度を高めるために溝５６が形成されている。そして、上記のドアロックフレーム５０のドア収容空間５０ｃには、接触するドア５００の接触面との滑りを防止して、それぞれ違ったドア５００の厚さ補正のためドア収容空間５０ｃに選択的に滑り防止板７０を含む。上記の未説明の符号５４は、穴５２にネジを利用してドアロックフレーム５０と開閉信号の入力手段２０を結合する時、ドライバー（未図示）を挿入するための穴である。
【００５２】
上記のドアロック本体６０は本体ハウジング６１と、上記の本体ハウジング６１固定用ブラケット６２を含む。上記のブラケット６２の本体ハウジング６１との接触面６２ｅには、上記の本体ハウジング６１とネジで結合するための貫通穴６２ａが形成されていて、上記の開閉信号の入力手段２０と施錠/解錠部４０を電気的に連結する電線３０が通過するように穴６２ｃが形成されている。水平方向の両線端の上記のドアロックフレーム５０の結合羽根５０ａ、５０ｂに対応する位置には、上記のドアロックフレーム５０の結合羽根５０ａ、５０ｂに形成された、複数個の穴に対応する結合穴６２ｂが垂直方向に複数個、形成されている。
【００５３】
上記の本体ハウジング６１のブラケット６２との接触面６１ｅには開閉信号の入力手段２０との連結のための電線３０を内部に引入するための穴６１ｂが形成されており、ブラケット６２の貫通穴６２ａに対応する位置にねじを通じてブラケット６２を固定させるための穴６１ａが形成されている。
【００５４】
上記の本体ハウジング６１の上部側には内部の施錠/解錠駆動手段４７の動作によってデッドボルト６１ｄが突出/沈降するように穴（未図示）が形成されている。ブラケット６２との接触面６１ｅの対向する面には赤外線受信ユニット４１とＬＥＤ４５、スピーカー４６、電池４４が設置されている。上記の未説明符号６１ｃは施錠/解錠部ハウジング６１ｃに形成された結合突起であり、６２ｄは上記の結合突起６１ｃを挿入して固定するためにブラケット６２に形成された穴である。
【００５５】
本実施例で、上記の本体ハウジング６１にブラケット６２を結合して上記のドアロックフレーム５０に結合することを一例とするが、上記の本体ハウジング６１の側面に上記のドアロックフレーム５０の結合羽根５０ａ、５０ｂを結合して固定することも可能である。
【００５６】
上記のような本実施例のドアロック装置３００の装着構造を詳細に説明すると、以下のとおりである。図１２に図示されたところのように、通常のアパート（マンション）や、オフィステル等の玄関ドア５００は室外側でドア５００の取っ手５１０を引っぱって開く方式で、室内側では底面の敷居４２０にドア５００がひっかかって室外側だけドア５００が開かれる方式である。したがって、本発明のドアロック装置３００は一方だけに開くドア５００に装着されるドアロック装置である。室内側または室外側の一方だけでドア５００が開けば装着して使用が可能だが、望むべくはドアロック本体６０がドア５００の室内側に位置するように装着して使うことが一番望ましい。
【００５７】
本実施例ではドアが室外側だけで開かれる方式のドアに装着して使うことを一例にして説明するが、これに限定されるものではない。先に、ドアロック装置３００のドアロックフレーム５０と開閉信号の入力手段２０を結合する。このとき、開閉信号の入力手段２０で引き出される電線３０をドアロックフレーム５０の前面板５７の穴５３を通じてドア収容空間５０ｃ側で引き出した後、電線収容溝５１に沿って後面板５８の穴（５３ａ）に引き出されるようにする。固定バー５７をドアロックフレーム５０の連結板５９に密着させて、差し込み式に装着して電線３０の動きを防止する。
【００５８】
以後、ドア５００の上部面に上記の開閉信号の入力手段２０が結合されたドアロックフレーム５０を配置する。ここで、ドアロックフレーム５０のドア収容空間５０ｃにドア５００の上部面が挿入されるようにし、図１２に図示されたようにドアロックフレーム５０の水平方向の流動を防止するために固定バー５７の折曲がり部分（５７ａ）がドア５００の一側線端にかかるようにする。この時、ドア収容空間５０ｃの幅に比べてドア５００の厚さが小さければ、滑り防止用ゴム板（７０）をドア収容空間５０ｃの前面板５７側に挿入して差し込み式にドア５００に装着する。
【００５９】
本実施例では上記の固定バー５７を利用して電線３０の動きと、ドアロックフレーム５０の水平移動を制限するがこれに限定されるものではない。上記のドア収容空間５０ｃを形成するドアロックフレーム５０のドア５００の上部面に接触する面、すなわち連結板５９の内部に接着手段、例えば両面テープを具備して、上記の両面テープを利用してドア５００の上部面に上記のドアロックフレーム５０を固定することも可能である。
【００６０】
以後、ドアロック本体６０のブラケット６２に上記のドアロックフレーム５０を結合するのに、ドアロックフレーム５０の結合羽根５０ａ、５０ｂに形成された複数個の穴５５とブラケット６２に形成された複数個の穴６２ｂを相互ねじで結合して固定する。この時、ドアロックフレーム５０の結合羽根５０ａ、５０ｂには水平方向に複数個の穴５５が形成されていて、図５及び図１２に図示されたようにドア５００の上部側の壁２１０の厚さによってドアロック本体６０とドアロックフレーム５０との隔離距離を調節して結合することができる。また、上記のドアロック本体６０の上部面とドア５００の上部面は実質的にほとんど等しい面を形成しなければならないので、ブラケット６２に垂直方向に形成された複数個の穴６２ｂを利用してドアロック本体６０の結合高を調節して結合する。
【００６１】
以下では、上記のような本実施例のドアロック装置の動作を詳細に見る。施錠/解錠部４０の制御部４３はリモコン１０から駆動信号が入力されるのを判断して、開閉信号の入力手段２０または施錠/解錠部４０の赤外線受信ユニット４１から駆動信号が入力された後、あらかじめ登録されたシリアルＩＤとリモコン１０のメモリー１６に保存された上記の駆動信号に含まれて送信されるシリアルＩＤと一致するか否かを判断する。すなわち、本実施例のドアロック装置３００はドア５００の上部に設置されているので、室外から室内に移動する時や室内から室外に移動する時リモコン１０で操作して開閉が可能なのである。
【００６２】
上記のリモコン１０のシリアルＩＤと既登録されたシリアルＩＤが一致すれば、制御部４３はデッドボルト６１ｄの位置状態を感知する位置感知の手段（未図示）を通じてドア５００の施錠及び解錠状態を判断する。施錠状態である場合、施錠/解錠駆動手段４７に解錠の駆動信号を出力して、解錠状態なら施錠の駆動信号を出力する。上記の施錠/解錠駆動手段４７はデッドボルト６１ｄの突出及び沈降を動作することで行われる。このような動作については、多様な公知例がすでに知られているため詳細な説明は省略する。すなわち、上記の施錠状態と言えば上記のデッドボルト６１ｄが突き出された状態として、図６に図示されたところのようにデッドボルト６１ｄがドア５００の上側壁２１０にかかるようになって開かなくなるのである。
【００６３】
また、上記の制御部４３は上記のスィッチセンサー２４からドアロック装置３００の強制離脱の信号が入力されれば、施錠/解錠部４０のＬＥＤ４５とスピーカー４６と開閉信号の入力手段２０のＬＥＤ２３、スピーカー２２にエラー信号を出力して外部にそれを表示する。すなわち、図１２に図示されたように、上記のスィッチセンサー２４はプッシュ/プル・スィッチセンサーとしてドア５００に接触してプッシュ状態を維持する。この時、外部でドアロック装置３００の開閉信号の入力手段２０を強制的に除去したり、開閉信号の入力手段２０が結合された状態でドアロックフレーム５０の前面板５７に強い圧力がかかってドア５００とドアロックフレーム５０のドア収容空間５０ｃに隙間が発生すれば、上記のスィッチセンサー２４はプル状態になる。制御部４３ではこれを感知して強制離脱の状態として判断され、エラー信号を出力するのである。
【００６４】
本実施例で上記のスィッチセンサー２４はドア５００に接触してプッシュ状態を維持して、接触が解除されればプル状態を持つスィッチセンサーである。しかしながら、これに限定されるものではなく、多様な実施例として具現可能である。
【００６５】
前述し、図面に図示した本発明の一実施例は本発明の技術的事象に限定することと解釈されてはならない。本発明の保護範囲は請求範囲に記載した事項によってのみ制限されて、本発明の技術分野で通常の知識を持つ者は、本発明の技術的事象を多様な形態で改良変更することが可能である。したがってこのような改良及び変更は通常の知識を持った者に自明なことである限り、本発明の保護範囲に属することとなる。
【００６６】
［産業上の利用可能性］
上記のように本発明のドアロック装置はドアにドアロック装置を設置するための別途の貫通穴を形成することなく、ドアの上部面に挟みこむことで設置を行うことができる。このように、設置作業が簡便であると同時に除去も容易であるという長所を有する。また、ドアロック装置の施錠動作の時、従来のデッドボルトと対応する位置に設置されて、上記のデッドボルトが挿入される固定部が不必要であることにより部品節減の效果がある。
【図面の簡単な説明】
【００６７】
【図１】第１実施例による簡便に設置できるドアロック装置を説明するための図面である。
【図２】第１実施例による簡便に設置できるドアロック装置を説明するためのリモコンの作動のフローチャートである。
【図３】第１実施例による簡便に設置できるドアロック装置を説明するための閉ざし装置の制御フローチャートである。
【図４】第１実施例による簡便に設置できるドアロック装置を説明するための非常状態時の操作のフローチャートである。
【図５】第２実施例による分解することなく取り外しが可能なドアロック装置がドアに設置された状態を見る斜視図である。
【図６】第２実施例による分解することなく取り外しが可能なドアロック装置の前面側の斜視図である。
【図７】第２実施例による分解することなく取り外しが可能なドアロック装置の後面側の斜視図である。
【図８】第２実施例による分解することなく取り外しが可能なドアロック装置の前面側の分解の斜視図である。
【図９】第２実施例による分解することなく取り外しが可能なドアロック装置の前面側の分解の斜視図である。
【図１０】第２実施例によるドアロック装置の構成を説明するためのブロック図である。
【図１１】第２実施例によるドアロック装置の動作を説明するためのフローチャートである。
【図１２】第２実施例によるドアロック装置の動作を説明するための設置及び動作状態図である。
【符号の説明】
【００６８】
１０  リモコン
２０  開閉信号の入力手段
３０  電線
４０  施錠/解錠部
５０  ドアロックフレーム
５７  前面板
５８  後面板
５９  連結板
６０  ドアロック本体
１００  リモコン
１１０  赤外線ＬＥＤ
１２０  マイコン
１３０  プッシュボタン
１４０  動作ＬＥＤ
１５０  リモコンの電源部
２００  メイン部
２１０  開閉信号の入力手段
２１１  赤外線受信ユニット
２１２  スピーカー
２１３  動作ＬＥＤ
２２０  据置き用のブラケット
２２１  据置き用の器具
２２２  フレキシブルワイヤー
２３０  閉ざし装置の駆動部
２３１  赤外線受信ユニット
２３２  マイコン
２３３  動作ＬＥＤ
２３４  アラーム部
２３５  閉ざし装置部
２３６  スィッチセンサー（分解感知センサー）
２３７  電源部
【図１】
2007529657.tif 000003
【図２】
2007529657.tif 000004
【図３】
2007529657.tif 000005
【図４】
2007529657.tif 000006
【図５】
2007529657.tif 000007
【図６】
2007529657.tif 000008
【図７】
2007529657.tif 000009
【図８】
2007529657.tif 000010
【図９】
2007529657.tif 000011
【図１０】
2007529657.tif 000012
【図１１】
2007529657.tif 000013
【図１２】
2007529657.tif 000014
【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
一方向開け閉めドア用ドアロック装置であって、
ドアの上部側に装着するための一定の長さを持つ連結板と、前記連結板の片側で前記ドアの前方面に向けて折曲がり延長された前面板と、前記連結板の他側で前記ドアの後方面に向けて折曲がり延長された後面板とを含むドアロックフレームと、
前記ドアロックフレームの前記前面板に固定された開閉信号の入力手段と、
前記ドアロックフレームの前記後面板に結合されたドアロック本体であって、前記入力手段から開閉信号を受けて前記連結板の上部に位置するドア枠の前方で上昇及び下降するよう設置されたデッドボルトと、前記デッドボルトを駆動するための施錠/解錠部とを含むドアロック本体と、を含むことを特徴とするドアロック装置。
【請求項２】
前記ドアロック本体は、前記ドアロックフレームに対して、結合高さおよび離間距離を調整して結合されることを特徴とする請求項１に記載のドアロック装置。
【請求項３】
前記ドアロックフレームの前記後面板において幅方向の両側からドアの後方側に延長された対になった結合羽根と、
前記結合羽根に固定するためのブラケットと、
前記結合羽根と前記ブラケットの相対的位置を調節して結合するための結合手段と、を含み、前記ドアロック本体は前記ブラケットに固定されることを特徴とする請求項１または２に記載のドアロック装置。
【請求項４】
前記結合羽根と前記ブラケットの相対的位置を調節して結合するための前記結合手段は、
前記ブラケットの両側に上下長さ方向にしたがって形成された複数の穴と、
前記つがいの結合羽根においてそれぞれにドアに対して水平方向に形成された複数の貫通穴と、
前記ブラケットの前記穴と対応する前記結合羽根の前記貫通穴に挿入され、ブラケットと結合羽根を結合するための結合具と、を含むことを特徴とする請求項３に記載のドアロック装置。
【請求項５】
前記ドアロックフレームの前記前面板と前記後面板との長さが、前記ドアの厚さより大きい場合に、該前面板と該後面板との間に挿入されたゴム板を含むことを特徴とする請求項１〜４の何れか１項に記載のドアロック装置。
【請求項６】
前記ドアロックフレームの前記連結板と前記ドアとが接触する面には、該ドアロックフレームの水平方向移動を制限するための接着手段が附着していることを特徴とする請求項５に記載のドアロック装置。
【請求項７】
前記開閉信号の入力手段に開閉信号を供給するための赤外線送信ユニットを含むリモコンを含み、
前記開閉信号の入力手段は、前記リモコンの赤外線送信ユニットと赤外線通信のための赤外線受信ユニットを含むことを特徴とする請求項６に記載のドアロック装置。
【請求項８】
前記ドアロックフレームの前記前面板には前記開閉信号の入力手段で引き出される電線が通過するための穴が設けられ、
前記開閉信号の入力手段の表面であって、前記ドアロックフレームの前面板と接触する面には、
前記前面板の穴を通じてドアに接触することで装着信号の出力、および開閉信号の入力手段の分解時または前記前面板が曲げられた時の分解感知信号の出力のための分解感知スィッチセンサーが設置されていることを特徴とする請求項６に記載のドアロック装置。
【請求項９】
前記リモコンは入力部と、シリアルＩＤが保存されたメモリーと、前記入力部の信号を受けて表示部に動作信号を出力して、赤外線送信ユニットに前記シリアルＩＤが含まれた開閉駆動信号を出力するマイコンと、前記マイコンの駆動信号を受けてこれを赤外線信号として送信する赤外線送信ユニットと、前記マイコンの表示動作信号を受けてこれを外部に表示する表示部とを含み、
前記開閉信号の入力手段は、前記ドアロック本体の施錠/解錠部からエラー信号を受けてエラー状態を表示するためのスピーカー及びＬＥＤを含み、
前記ドアロック本体の施錠/解錠部は、前記リモコンの赤外線送信ユニットと赤外線通信をするための赤外線受信ユニットと、前記開閉信号の入力手段及び赤外線受信ユニットを通じてリモコンの開閉駆動信号を受けて、あらかじめ保存されたシリアルＩＤと比べて、一致すれば施錠/解錠動作信号を出力して、前記スィッチセンサーから分解感知信号を受けてこれを表示するためのエラー信号を出力する制御部と、前記制御部の施錠/解錠動作信号を受けて、施錠/解錠動作を遂行するデッドボルトを含む施錠/解錠駆動手段と、前記制御部の施錠/解錠動作信号及びドアの施解錠の表示信号を受けて、これを外部で表示するＬＥＤ及びスピーカーと、動作電源を供給するための電池とを含むことを特徴とする請求項７または８に記載のドアロック装置。
【手続補正書】
【提出日】平成19年5月29日(2007.5.29)
【手続補正１】
【補正対象書類名】特許請求の範囲
【補正対象項目名】全文
【補正方法】変更
【補正の内容】
【特許請求の範囲】
【請求項１】
一方向に開閉可能なドア用ドアロック装置であって、
ドアの上部側に装着するための一定の長さを持つ連結板と、前記連結板の片側で前記ドアの前方面に向けて折曲がり延長された前面板と、前記連結板の他方側で前記ドアの後方面に向けて折曲がり延長された後面板とで形成されるドア収容空間を具備するドアロックフレームと、
前記ドアロックフレームの前記前面板に固定された開閉信号の入力手段と、
前記ドアロックフレームの前記後面板に、前記ドアロックフレームに対して結合高さおよび離間距離を調整して結合されたドアロック本体であって、前記入力手段から開閉信号を受けて前記連結板の上部に位置するドア枠の前方で上昇及び下降するよう設置されたデッドボルトと、前記デッドボルトを駆動するための施錠／解錠部とを含むドアロック本体と、
ドアロック装置の強制離脱を感知した時に、分解感知信号を発生させるスイッチセンサーと、を含み、
前記開閉信号の入力手段は、赤外線送信ユニットを有するリモコンと赤外線通信をするための第１赤外線受信ユニットと、ドアロック本体の施錠／解錠部からエラー信号を受けてエラー状態を表示するための第１スピーカーまたは第１ＬＥＤと、を含み、
前記施錠／解錠部は、前記リモコンの赤外線送信ユニットと赤外線通信をするための第２赤外線受信ユニットと、前記開閉信号の入力手段及び該第２赤外線受信ユニットを通じてリモコンの開閉駆動信号を受けて、あらかじめ保存されたシリアルＩＤと比べて、一致すれば施錠／解錠動作信号の出力を行い、または、前記スィッチセンサーから前記分解感知信号を受けてこれを表示するための上記エラー信号の出力を行う制御部と、前記制御部の施錠／解錠動作信号を受けて、施錠／解錠動作を遂行するデッドボルトを含む施錠／解錠駆動手段と、前記制御部の施錠／解錠動作信号及びドアの施解錠の表示信号を受けて、これを外部で表示する第２スピーカーまたは第２ＬＥＤと、動作電源を供給するための電池と、を含み、
前記開閉信号の入力手段と、前記施錠／解錠部と、は電気的に連結されていることを特徴とするドアロック装置。
【請求項２】
前記ドアロックフレームの前記後面板において幅方向の両側からドアの後方側に延長された対になった結合羽根と、
前記結合羽根に固定するためのブラケットと、
前記結合羽根と前記ブラケットの相対的位置を調節して結合するための結合手段と、を含み、前記ドアロック本体は前記ブラケットに固定されることを特徴とする請求項１に記載のドアロック装置。
【請求項３】
前記結合羽根と前記ブラケットの相対的位置を調節して結合するための前記結合手段は、
前記ブラケットの両側に上下長さ方向にしたがって形成された複数の穴と、
前記つがいの結合羽根においてそれぞれにドアに対して水平方向に形成された複数の貫通穴と、
前記ブラケットの前記穴と対応する前記結合羽根の前記貫通穴に挿入され、ブラケットと結合羽根を結合するための結合具と、を含むことを特徴とする請求項２に記載のドアロック装置。
【請求項４】
前記ドアロックフレームの前記前面板と前記後面板との長さが、前記ドアの厚さより大きい場合に、該前面板と該後面板との間に挿入されたゴム板を含むことを特徴とする請求項１から３の何れか１項に記載のドアロック装置。
【請求項５】
前記ドアロックフレームの前記連結板と前記ドアとが接触する面には、該ドアロックフレームの水平方向移動を制限するための接着手段が附着していることを特徴とする請求項４に記載のドアロック装置。
【請求項６】
前記ドアロックフレームの前記前面板には前記開閉信号の入力手段で引き出される電線が通過するための穴が設けられ、
前記開閉信号の入力手段の表面であって、前記ドアロックフレームの前面板と接触する面には、
前記前面板の穴を通じてドアに接触することで装着信号の出力、および開閉信号の入力手段の分解時または前記前面板が曲げられた時の分解感知信号の出力のための分解感知スィッチセンサーが設置されていることを特徴とする請求項１に記載のドアロック装置。
【手続補正２】
【補正対象書類名】明細書
【補正対象項目名】００２３
【補正方法】変更
【補正の内容】
【００２３】
開閉信号の入力手段（赤外線通信部）２１０は、第１赤外線受信ユニット（赤外線フィルター及びモジュール）２１１、第１スピーカー（アラーム部）２１２、第１動作ＬＥＤ２１３を含む。開閉信号の入力手段（赤外線通信部）２１０は、使用者が携帯するリモコン１００の信号を感知して、その信号を施錠／解錠部（閉ざし装置駆動部）２３０に伝達して、施錠／解錠部（閉ざし装置駆動部）２３０の施錠／解錠駆動手段２３５を通じて施錠及び解錠を制御する。
【手続補正３】
【補正対象書類名】明細書
【補正対象項目名】００３１
【補正方法】変更
【補正の内容】
【００３１】
施錠／解錠部（閉ざし装置駆動部）２３０は、第２赤外線受信ユニット（赤外線フィルター及びモジュール）２３１、マイコン２３２、第２動作ＬＥＤ２３３、第２スピーカー（アラーム部）２３４、施錠／解錠駆動手段（閉ざし装置部）２３５、スィッチセンサー２３６、および電源部２３７を含み、ドアの内部に設置される。開閉信号の入力手段（赤外線通信部）２１０と施錠／解錠部（閉ざし装置駆動部２３０）でリモコン１００の信号を感知して施錠／解錠部（閉ざし装置駆動部）２３０の施錠／解錠駆動手段２３５を通じて施錠または解錠を制御する。
【手続補正４】
【補正対象書類名】明細書
【補正対象項目名】００４４
【補正方法】変更
【補正の内容】
【００４４】
まず、図５ないし図１０を参照して第２実施例のドアロック装置の構成を簡単に説明すると以下のとおりである。本実施例のドアロック装置３００はリモコン１０と、そのリモコン１０と赤外線通信するための第１赤外線受信ユニット２１が具備された開閉信号の入力手段２０と、内部に開閉信号の入力手段２０のリモコン１０受信信号を受けて閉ざし及び開くことを遂行する施錠／解錠部４０を具備したドアロック本体６０と、開閉信号の入力手段２０とドアロック本体６０の施錠／解錠部４０と電気的に連結するコネクター３０と、開閉信号の入力手段２０で延長されて上記のドアロック本体６０と結合し、ドア５００の上部に上げられることができるようにドア収容空間５０ｃが具備されたドアロックフレーム５０を含む。
【手続補正５】
【補正対象書類名】明細書
【補正対象項目名】００４６
【補正方法】変更
【補正の内容】
【００４６】
上記の開閉信号の入力手段２０は、上記のリモコン１０の赤外線送信ユニット１１から駆動信号を受けて、これを施錠／解錠部４０に送る第１赤外線受信ユニット２１と、エラーの発生時、施錠／解錠部４０からエラー信号を受けてエラー状態を表示するための第１スピーカー２２及び第１ＬＥＤ２３と、ドアロック装置３００の強制離脱を感知するためのスィッチセンサー（分解感知センサー）２４を含む。
【手続補正６】
【補正対象書類名】明細書
【補正対象項目名】００４７
【補正方法】変更
【補正の内容】
【００４７】
ドアロック本体６０の施錠／解錠部４０は、リモコン１０と赤外線通信するための第２赤外線受信ユニット４１と、開閉信号の入力手段２０及び第２赤外線受信ユニット４１を通じてリモコン１０の開閉駆動信号を受けてあらかじめ保存されたシリアルＩＤと比べて一致すれば施錠／解錠動作信号を出力して、または、スィッチセンサー２４からドアロック装置３００の強制離脱感知信号を受けてこれを表示するためのエラー信号を出力する制御部４３と、上記の制御部４３の施錠／解錠動作信号を受けて施錠／解錠動作を遂行する施錠／解錠駆動手段４７と、上記の制御部４３の施錠／解錠動作信号及びドア開き表示信号を受けてこれを外部で表示する第２ＬＥＤ４５及び第２スピーカー４６、動作電源を供給するための電池４４を含む。
【手続補正７】
【補正対象書類名】明細書
【補正対象項目名】００４９
【補正方法】変更
【補正の内容】
【００４９】
上記のドアロックフレーム５０はドア５００の上部面に載せられるようにすること上記の開閉信号の入力手段２０とドアロック本体６０を連結する役割を果たす。ドアロックフレーム５０は、ドア５００の上側に載せるための一定の長さを持つ連結板５９と、上記の連結板５９の片側で上記のドア５００の前方面に向けて切曲されて延長された前面板５７と、上記の連結板５９の他側で上記のドア５００の後方面に向けて切曲されて延長された後面板５８で形成されるドア収容空間５０ｃが具備される。
【国際調査報告】
2007529657.tif 000015